(57)【要約】【課題】梱包作業中に、力を篭めた作業が不要となるような紙箱を提供する。【解決手段】天井部が、正面折片２２、奥折片３２、左折片３７及び右折片３９で構成される紙箱１０であり、左舌片４４と右舌片４５は、矩形片であり、左差し込み穴４１と右差し込み穴４３は、矩形片の幅Ｗ１に対応する狭幅部分４６と矩形片の幅Ｗ１に所定の余裕αを見込んだ広幅部分４７と合わせた凸形穴である。【選択図】図２
0003231425.tif 000002
【実用新案登録請求の範囲】
【請求項１】
矩形の底部と、この底部から立ち上がる４つの壁部と、上部開口を塞ぐ天井部とからなる紙箱であり、
前記４つの壁部は、正面壁部と、この正面壁部に直交する左壁部及び右壁部と、前記正面壁部に平行な奥壁部とからなり、
前記正面壁部の上縁から正面山折り線を介して前記上部開口の半分を塞ぐ大きさの正面折片が延ばされ、この正面折片の先端に正面左凹部、正面指掛け凹部及び正面右凹部が設けられ、
前記奥壁部の上縁から奥山折り線を介して前記上部開口の半分を塞ぐ大きさの奥折片が延ばされ、この奥折片の先端に奥左凹部、奥指掛け凹部及び奥右凹部が設けられ、
前記正面折片及び前記奥折片が山折りされたときに、前記正面左凹部と前記奥左凹部とで左差し込み穴ができ、前記正面指掛け凹部と前記奥指掛け凹部とで指挿入穴ができ、前記正面右凹部と前記奥右凹部とで右差し込み穴ができるようにし、
前記左壁部の上縁から左山折り線を介して左折片が延ばされ、この左折片の先端に前記左差し込み穴に差し込む左舌片を備え、
前記右壁部の上縁から右山折り線を介して右折片が延ばされ、この右折片の先端に前記右差し込み穴に差し込む右舌片を備え、
前記天井部は、前記正面折片、前記奥折片、前記左折片及び前記右折片で構成される紙箱において、
前記左舌片と前記右舌片は、矩形片であり、
前記左差し込み穴と前記右差し込み穴は、前記矩形片の幅に対応する狭幅部分と前記矩形片の幅に所定の余裕を見込んだ広幅部分と合わせた凸形穴であることを特徴とする紙箱。
【請求項２】
請求項１記載の紙箱であって、
前記指挿入穴は、成人の人差し指に対応する大きさの矩形穴であることを特徴とする紙箱。
【請求項３】
請求項１又は請求項２記載の紙箱であって、
前記狭幅部分の縁に且つ前記正面折片の裏面と奥折片の裏面とに紙製の係止片を付設し、前記左舌片及び前記右舌片の上面略中央に紙製の被係止片を付設し、前記係止片に前記被係止片が係止されるようにしたことを特徴とする紙箱。
【考案の詳細な説明】
【技術分野】
【０００１】
本考案は、サンチュに代表される野菜の葉を複数枚重ねた状態でプラスチック容器に収納し、このプラスチック容器を収納する紙箱の改良に関する。
【背景技術】
【０００２】
本考案者は先に葉物野菜等の軽量物を梱包する梱包用段ボール箱を提案した（例えば、特許文献１（図８、図９）参照）。
【０００３】
特許文献１を図面に基づいて以下に説明する。
図６は従来の段ボール箱の斜視図であり、まず、正面折片１０１と奥折片１０２とを９０°折る。これで、左差し込み穴１０３と、指掛け穴１０４と、右差し込み穴１０５とが出来上がる。
次に、矢印（２）のように左差し込み穴１０３へ左挿入片１０６を挿入し、矢印（３）のように右差し込み穴１０５へ右挿入片１０７を挿入する。
【０００４】
図７は完成図を示す。開梱のときには、指掛け穴１０４へ指を差し込み、正面折片１０１（または奥折片１０２）を引き上げる。開梱のために、左差し込み穴１０３から左挿入片１０６を引き抜く必要はなく、右差し込み穴１０５から右挿入片１０７引き抜く必要はない。
【０００５】
しかし、従来の段ボール箱には、次に述べる問題点があることが判った。
図８は従来の右差し込み穴と右挿入片との詳細を説明する図である。
右挿入片１０７は、頭部１０７ａと、ネック部１０７ｂとからなる。
右差し込み穴１０５は、凸穴であり、頭部１０７ａに対応する幅の広幅部分１０５ａと、ネック部１０７ｂに対応する幅の狭幅部分１０５ｂとからなる。
【０００６】
段ボール箱が歪んでいなければ、図８において、頭部１０７ａが広幅部分１０５ａに矢印（４）のように、円滑に差し込まれる。次に、ネック部１０７ｂが狭幅部分１０５ｂが嵌められる。
【０００７】
図９は少し箱が歪んでいる形態を説明する図である。
段ボール箱は、僅かではあるが全体に歪む。すると、図９に示すように、頭部１０７ａが中心が広幅部分１０５ａの中心から外れる。すると、頭部１０７ａの左端（又は右端）が広幅部分１０５ａの縁に当たる。作業者は、力を篭めて頭部１０７ａを広幅部分１０５ａへ押し込む。又は、作業者は、段ボール箱の歪みを修正しつつ、挿入作業を行う。
【０００８】
段ボール箱が数個程度であれば、力を篭めた挿入作業は負担とならないが、段ボール箱は数百個となれば、力を篭めた挿入作業は負担となる。
【０００９】
作業員の負担軽減が求められ中、力を篭めた作業が不要となるような段ボール箱（紙箱）が望まれる。
【先行技術文献】
【特許文献】
【００１０】
【特許文献１】実用新案登録第３１２４０３２号公報
【考案の概要】
【考案が解決しようとする課題】
【００１１】
本考案は、力を篭めた作業が不要となるような紙箱を提供することを課題とする。
【課題を解決するための手段】
【００１２】
請求項１に係る考案は、矩形の底部と、この底部から立ち上がる４つの壁部と、上部開口を塞ぐ天井部とからなる紙箱であり、
前記４つの壁部は、正面壁部と、この正面壁部に直交する左壁部及び右壁部と、前記正面壁部に平行な奥壁部とからなり、
前記正面壁部の上縁から正面山折り線を介して前記上部開口の半分を塞ぐ大きさの正面折片が延ばされ、この正面折片の先端に正面左凹部、正面指掛け凹部及び正面右凹部が設けられ、
前記奥壁部の上縁から奥山折り線を介して前記上部開口の半分を塞ぐ大きさの奥折片が延ばされ、この奥折片の先端に奥左凹部、奥指掛け凹部及び奥右凹部が設けられ、
前記正面折片及び前記奥折片が山折りされたときに、前記正面左凹部と前記奥左凹部とで左差し込み穴ができ、前記正面指掛け凹部と前記奥指掛け凹部とで指挿入穴ができ、前記正面右凹部と前記奥右凹部とで右差し込み穴ができるようにし、
前記左壁部の上縁から左山折り線を介して左折片が延ばされ、この左折片の先端に前記左差し込み穴に差し込む左舌片を備え、
前記右壁部の上縁から右山折り線を介して右折片が延ばされ、この右折片の先端に前記右差し込み穴に差し込む右舌片を備え、
前記天井部は、前記正面折片、前記奥折片、前記左折片及び前記右折片で構成される紙箱において、
前記左舌片と前記右舌片は、矩形片であり、
前記左差し込み穴と前記右差し込み穴は、前記矩形片の幅に対応する狭幅部分と前記矩形片の幅に所定の余裕を見込んだ広幅部分と合わせた凸形穴であることを特徴とする。
【００１３】
請求項２に係る考案は、請求項１記載の紙箱であって、
前記指挿入穴は、成人の人差し指に対応する大きさの矩形穴であることを特徴とする。
【００１４】
請求項３に係る考案は、請求項１又は請求項２記載の紙箱であって、
前記狭幅部分の縁に且つ前記正面折片の裏面と奥折片の裏面とに紙製の係止片を付設し、前記左舌片及び前記右舌片の上面略中央に紙製の被係止片を付設し、前記係止片に前記被係止片が係止されるようにしたことを特徴とする。
【考案の効果】
【００１５】
請求項１に係る考案では、左舌片と右舌片は、矩形片であり、左差し込み穴と右差し込み穴は、矩形片の幅に対応する狭幅部分と矩形片の幅に所定の余裕を見込んだ広幅部分と合わせた凸形穴である。
矩形片は先ず広幅部分に差し込まれる。広幅部分は十分に余裕があるため、矩形片が左又は右へ寄っていても、差し込みは円滑に行われる。
よって、本考案により、力を篭めた作業が不要となるような紙箱が提供される。
【００１６】
請求項２に係る考案では、指挿入穴は、成人の人差し指に対応する大きさの矩形穴であり、差し込んだ指が左右に移動することがない。
【００１７】
請求項３に係る考案では、差し込んだ後に、左右舌片が係止片と被係止片との係合により固定される。紙箱の形状が安定し、紙箱の外観性が高まる。
【図面の簡単な説明】
【００１８】
【図１】本考案に係る紙箱の斜視図である。
【図２】上部開口を塞ぐ途中での紙箱の平面図である。
【図３】本考案の変更例の要部拡大図である。
【図４】図３の４−４線断面図である。
【図５】変更例の作用説明図である。
【図６】従来の段ボール箱の斜視図（上部開口を塞ぐ途中）である。
【図７】従来の段ボール箱の斜視図（上部開口が塞がれている。）である。
【図８】従来の段ボール箱の作用説明図である。
【図９】従来の段ボール箱の不具合を説明する図である。
【考案を実施するための形態】
【００１９】
本考案の実施の形態を添付図に基づいて以下に説明する。
【００２０】
図１に示すように、紙箱１０は、矩形（正方形と長方形）の底部１１と、この底部１１から立ち上がる４つの壁部１２、１３、１４、１５と、上部開口を塞ぐ天井部１６とからなる六面体の箱である。
【００２１】
サンチュに代表される葉を１０枚程度重ねて、透明で軽いプラスチック容器に収納する。１０個程度のプラスチック容器を紙箱１０に収納する。
内容物はごく軽量であるため、紙箱１０に大きな剛性は必要がない。よって、紙箱１０を構成する紙は、段ボール紙の他、厚紙であってもよい。
【００２２】
４つの壁部１２、１３、１４、１５は、正面壁部１２と、この正面壁部１２に直交する左壁部１３及び右壁部１４と、正面壁部１２に平行な奥壁部１５とからなる。
左壁部１３及び右壁部１４に、紙箱１０全体を持ち上げるときに手を掛ける手掛け穴１７が設けられている。
【００２３】
正面壁部１２の上縁から正面山折り線２１を介して上部開口の半分を塞ぐ大きさの正面折片２２が延ばされ、この正面折片２２の先端に正面左凹部（図２、符号２３）、正面指掛け凹部２４及び正面右凹部（図２、符号２５）が設けられている。
同様に、奥壁部１５の上縁から奥山折り線３１を介して上部開口の半分を塞ぐ大きさの奥折片３２が延ばされ、この奥折片３２の先端に奥左凹部（図３、符号３３）、奥指掛け凹部３４及び奥右凹部（図３、符号３５）が設けられている。
【００２４】
また、左壁部１３の上縁から左山折り線３６を介して、左折片３７が延ばされ、右壁部１４の上縁から右山折り線３８を介して、右折片３９が延ばされる。
天井部１６は、正面折片２２、奥折片３２、左折片３７及び右折片３９で構成される。
【００２５】
図２に示すように、正面折片２２及び奥折片３２が山折りされたときに、正面左凹部２３と奥左凹部３３とで左差し込み穴４１ができ、正面指掛け凹部２４と奥指掛け凹部３４とで指挿入穴４２ができ、正面右凹部２５と奥右凹部３５とで右差し込み穴４３ができあがる。
指挿入穴４２は、成人の人差し指に対応する大きさの矩形穴である。
【００２６】
左折片３７の先端に左舌片４４が設けられている。この左舌片４４は、単純な矩形片である。同様に、右折片３９の先端に右舌片４５が設けられている。この右舌片４５も、単純な矩形片である。
【００２７】
左差し込み穴４１と右差し込み穴４３は、矩形片の幅Ｗ1に対応する狭幅部分４６と矩形片の幅Ｗ1に所定の余裕（α+α）を見込んだ広幅部分４７と合わせた凸形穴である。αは３.５ｍｍ〜５ｍｍ程度とする。
【００２８】
次に、右舌片４５を右差し込み穴４３へ差し込む手順を、図２に基づいて説明する。
作業員は、先ず右舌片４５を、右差し込み穴４３の広幅部分４７へ差し込む。箱が歪んでいて、広幅部分４７の中心と右舌片４５の中心が３ｍｍ程度ずれていても、このずれはαより小さいため、右舌片４５は広幅部分４７へ簡単に入る。左舌片４４も同様である。
次に、右舌片４５を狭幅部分４６に嵌める。左舌片４４も同様である。
【００２９】
次に、開梱の手順を、図１に基づいて説明する。
作業員は、指挿入穴４２へ、利き腕の人差し指を挿入し、正面折片２２（又は奥折片３２）を引き上げる。次に、残りの奥折片３２（又は正面折片２２）を開く。
【００３０】
仮に、指挿入穴４２が楕円は横長の長円である場合（図７、符号１０４参照）、差し込んだ指が左右に移動して、安定しない。この点、本考案のように、１本の指だけが挿入可能な矩形穴であれば、差し込んだ指は左右に移動することはなく、安定する。
【００３１】
図１において、右折片３９には、右舌片４５と右山折り線３８との中間位置に、中間山折り線５１が設けられている。右舌片４５を差し込む前に、右折片３９をへの字に曲げる。右舌片４５は、差し込んだ後には、ほぼ平坦になる。
しかし、紙の質によっては、折り癖により、差し込んだ後に、右折片３９は、中間山折り線５１を頂点にして、僅かではあるがへの字に戻ることがある。
この対策を施した変更例を、図３に基づいて提示する。
【００３２】
図３に示すように、好ましくは、右舌片４５の上面略中央に、紙製の被係止片４８を付設する。併せて、狭幅部分４６の縁に且つ正面折片２２の裏面と奥折片３２の裏面とに紙製の係止片４９を付設する。左舌片４４についても同様である。
【００３３】
図４は図３の４−４線断面図である。
図４に示すように、奥折片３２の裏面（下面）に紙製の係止片４９が付設され、右舌片４５の上面に、被係止片４８が付設されている。係止片４９及び被係止片４８は、斜辺を有する直角三角形柱が好ましい。斜辺が案内面となるからである。
直角三角形柱は、紙製であり、紙用接着剤（糊）で接着固定される。
【００３４】
なお、直角三角形柱を、角柱は半円柱に代えることは差し支えない。
また、係止片４９及び被係止片４８との両方又は一方は、切り起こしにより、右舌片４５や奥折片３２に一体形成することもできる。
【００３５】
右舌片４５を右差し込み穴４３に差し込む。
すると、図５に示すように、被係止片４８が係止片４９に引っかかる。以降、右舌片４５が、「ヘ」の字に変形することはなく、浮き上がることが防止される。結果、紙箱１０の外観性がより良好に維持される。
【００３６】
サンチュに代表される野菜葉は、種類は限定されず、紫蘇の葉、大葉、あした葉、飾り用木の葉であってもよい。
また、本考案の紙箱は、野菜葉の他、軽量物、例えば、風船、帽子、羽毛の収納に供することもできる。よって、収納物の種類は限定されない。
【産業上の利用可能性】
【００３７】
本考案の紙箱は、野菜葉の収納に好適である。
【符号の説明】
【００３８】
１０…紙箱、１１…底部、１２…正面壁部、１３…奥壁部、１４…左壁部、１５…右壁部、１６…天井部、２１…正面山折り線、２２…正面折片、２３…正面左凹部、２４…正面指掛け凹部、２５…正面右凹部、３１…奥山折り線、３２…奥折片、３３…奥左凹部、３４…奥指掛け凹部、３５…奥右凹部、３６…左山折り線、３７…左折片、３８…右山折り線、３９…右折片、４１…左差し込み穴、４２…指挿入穴、４３…右差し込み穴、４４…左舌片、４５…右舌片、４６…狭幅部分、４７…広幅部分、４８…被係止片、４９…係止片、５１…中間山折り線、Ｗ1…矩形片の幅、α…所定の余裕。
【図１】
0003231425.tif 000003
【図２】
0003231425.tif 000004
【図３】
0003231425.tif 000005
【図４】
0003231425.tif 000006
【図５】
0003231425.tif 000007
【図６】
0003231425.tif 000008
【図７】
0003231425.tif 000009
【図８】
0003231425.tif 000010
【図９】
0003231425.tif 000011